(57)【特許請求の範囲】
【請求項１】
哺乳瓶の口に挿入され、中央に開口を有する円筒形の挿入部と、前記挿入部から上方に広がった漏斗部と、前記漏斗部に回転可能に保持され、粉ミルク収容部が設けられた粉ミルク投入容器とから構成され、
前記粉ミルク投入容器は、粉ミルク収容部が上向きとなる状態から、粉ミルク収容部が下向きとなる状態へと回転可能であり、
前記粉ミルク投入容器の互いに対向する２ヶ所に軸を設け、前記漏斗部の互いに対向する２ヶ所に切り欠きを設け、前記軸が前記切り欠きに上方から挿入され、前記軸を中心に前記粉ミルク投入容器が回転することを特徴とする哺乳瓶用漏斗。
【請求項２】
前記挿入部は、径の異なる２種類の円筒を同心円状に配置して形成されていることを特徴とする請求項１に記載の哺乳瓶用漏斗。
【請求項３】
前記粉ミルク投入容器は、前記漏斗部から取り外し可能であることを特徴とする請求項１または２に記載の哺乳瓶用漏斗。
【請求項４】
前記漏斗部は前記挿入部から上方へと延伸されたすり鉢状のすり鉢部と、前記すり鉢部から上方に延伸された円筒形の円筒部から構成されることを特徴とする請求項１〜３のいずれか１項に記載の哺乳瓶用漏斗。
【請求項５】
前記粉ミルク投入容器は、略半球形状の粉ミルク収容部と取っ手から構成されることを特徴とする請求項１〜４のいずれか１項に記載の哺乳瓶用漏斗。
【請求項６】
前記漏斗部に粉ミルク飛散防止用の壁を設けたことを特徴とする請求項１〜５のいずれか１項に記載の哺乳瓶用漏斗。
【発明の詳細な説明】
【技術分野】
【０００１】
本発明は、粉ミルクを哺乳瓶に入れるための哺乳瓶用漏斗に関する。
【背景技術】
【０００２】
赤ちゃんにミルクを飲ませるためには一般的に哺乳瓶を使用する。ミルクを作る方法としては、哺乳瓶に粉ミルクとお湯を入れて、哺乳瓶をよく振って粉ミルクとお湯をかき混ぜる方法が用いられている。この時、哺乳瓶の口は狭くて粉ミルクを入れにくいので、漏斗等（特許文献１参照）を用いて粉ミルクを哺乳瓶に入れる方法が用いられている。
【先行技術文献】
【特許文献】
【０００３】
【特許文献１】特開平８−６６４５９号公報
【発明の概要】
【発明が解決しようとする課題】
【０００４】
しかしながら、漏斗等を用いる場合、哺乳瓶にお湯を先に入れていると、お湯の湯気により漏斗の内側表面に水滴が付着し、水滴によって粉ミルクが漏斗の内側表面に付着して、粉ミルクが漏斗から哺乳瓶へと投入しにくくなり、哺乳瓶の内側表面には投入されなかった粉ミルクが付着して残るという問題があった。また、粉ミルクが大量に付着すると、計量スプーン等でミルクを作るのに必要な粉ミルクの量を測っていても、実際に使用される粉ミルクの量が少なくなるという問題があった。
【０００５】
そこで、本発明は従来の問題を解決するために、漏斗の内側表面に水滴が付着しない構造を用いて粉ミルクが漏斗に付着するのを防止し、粉ミルクを所定の量を正確に投入することができる哺乳瓶用漏斗を提供することを目的とする。
【課題を解決するための手段】
【０００６】
本発明の哺乳瓶用漏斗は、哺乳瓶の口に挿入され、中央に開口を有する円筒形の挿入部と、前記挿入部から上方に広がった漏斗部と、前記漏斗部に回転可能に保持され、粉ミルク収容部が設けられた粉ミルク投入容器とから構成され、前記粉ミルク投入容器は、粉ミルク収容部が上向きとなる状態から、粉ミルク収容部が下向きとなる状態へと回転可能であることを特徴とする。
【０００７】
前記挿入部は、径の異なる２種類の円筒を同心円状に配置して形成することができる。
【０００８】
前記粉ミルク投入容器は、前記漏斗部から取り外し可能とする。
【０００９】
前記漏斗部は前記挿入部から上方へと延伸されたすり鉢状のすり鉢部と、前記すり鉢部から上方に延伸された円筒形の円筒部から構成される。
【００１０】
前記粉ミルク投入容器は、略半球形状の粉ミルク収容部と取っ手から構成されてもよい。
【００１１】
前記粉ミルク投入容器の互いに対向する２ヶ所に軸を設け、前記漏斗部の互いに対向する２ヶ所に切り欠きを設け、前記軸が前記切り欠きに上方から挿入されていることで、前記粉ミルク投入容器が回転可能となっている。
【００１２】
前記漏斗部に粉ミルク飛散防止用の壁を設けることも可能である。
【発明の効果】
【００１３】
本発明の哺乳瓶用漏斗は、哺乳瓶の口に挿入され、中央に開口を有する円筒形の挿入部と、前記挿入部から上方に広がった漏斗部と、前記漏斗部に回転可能に保持され、粉ミルク収容部が設けられた粉ミルク投入容器とから構成され、前記粉ミルク投入容器は、粉ミルク収容部が上向きとなる状態から、粉ミルク収容部が下向きとなる状態へと回転可能であることにより、粉ミルク投入容器の内側表面に水滴が付着しないので、粉ミルクが粉ミルク投入容器の内側表面に付着することなくスムーズに哺乳瓶へ投入することが可能となる。
【００１４】
前記挿入部は径の異なる２種類の円筒を同心円状に配置して形成することにより、異なる種類の哺乳瓶に使用することが可能となる。
【００１５】
前記粉ミルク投入容器を前記漏斗部から取り外し可能とすることで、哺乳瓶用漏斗を分解することができ、洗浄し易く、清潔な状態を保つことが可能となる。
【００１６】
前記粉ミルク投入容器は、略半球形状の粉ミルク収容部と取っ手から構成されることで、取っ手を用いて粉ミルク投入容器を回転させ粉ミルクを簡単に投入できるようになる。
【００１７】
前記粉ミルク投入容器の互いに対向する２ヶ所に軸を設け、前記漏斗部の互いに対向する２ヶ所に切り欠きを設け、前記軸が前記切り欠きに上方から挿入されていることにより、前記粉ミルク投入容器を回転可能かつ取り外し可能とすることができ、簡単な操作でそれらの操作が可能となる。
【００１８】
前記漏斗部に粉ミルク飛散防止用の壁を設けることで、粉ミルク投入時に粉ミルクが周囲に飛散するのを防止できる。
【図面の簡単な説明】
【００１９】
【図１】本発明の哺乳瓶用漏斗の斜視図である。
【図２】本発明の哺乳瓶用漏斗の平面図である。
【図３】本発明の哺乳瓶用漏斗を分解した状態の斜視図である。
【図４】哺乳瓶用漏斗を哺乳瓶にセットした状態の断面図である。
【図５】粉ミルク投入容器が回転している状態を示す斜視図である。
【図６】粉ミルク投入容器が回転を完了した状態を示す斜視図である。
【発明を実施するための形態】
【００２０】
本発明を、図を用いて以下に詳細に説明する。図１が本発明の哺乳瓶用漏斗１の斜視図であり、図２が平面図である。本発明のピッチャー１は、図１、２に示すように、粉ミルクを一時的に収容し、哺乳瓶へと粉ミルクを投入する粉ミルク投入容器２と、哺乳瓶の口に挿入され、中央に開口を有する円筒形の挿入部４と、前記挿入部４から上方にすり鉢状に広がり、さらに上方に円筒形状に延長された漏斗部３とから構成されており、前記粉ミルク投入容器２は、前記漏斗部３に回転可能に保持されている。
【００２１】
前記粉ミルク投入容器２は、粉ミルクを一時的に収容する略半円形状の粉ミルク収容部５と、粉ミルク投入容器２を回転させるための持ち手となる取っ手６とから構成される。前記取っ手６には孔を設けており、粉ミルク投入容器２をフック等に掛けることができるようにしている。さらに、前記粉ミルク投入容器２には、前記粉ミルク収容部５の互いに対向する２ヶ所に軸７及び軸７の先端に設けた円形の留め具８を設けている。
【００２２】
前記漏斗部３は、前記挿入部４と一体となっており、前記挿入部４から上方にすり鉢状に広がるすり鉢部９と、前記すり鉢部９から上方に延長された円筒部１０とから構成される。前記円筒部１０の上部は途中に段差が設けられて略半分の高さが異なっており、低い方の上部に前記粉ミルク投入容器２の取っ手６が保持されることで、前記粉ミルク投入容器２は粉ミルク収容部５が上を向いた状態が保たれる。また、前記円筒部１０には、前記粉ミルク投入容器２に設けたのと類似の取っ手１２を設けてあり、取っ手１２にも孔を設けることで、前記漏斗部３もフック等に掛けることができる。
【００２３】
前記円筒部１０の高い方には、前記粉ミルク投入容器２に設けられた２個の軸７が挿入される切り欠き１１が、互いに対向する２ヶ所に設けられている。前記切り欠き１１に挿入された軸７を中心に前記粉ミルク投入容器２は回転する。また、前記切り欠き１１の上方から前記軸７を挿入するので、前記粉ミルク投入容器２は前記漏斗部３から簡単に取り外すことができ、使用後は分解して洗浄することができる。
【００２４】
前記円筒部１０の上部の高い方は、前記粉ミルク投入容器２を回転させて粉ミルクを哺乳瓶に投入する際に、粉ミルクが飛散するのを防水する粉ミルク飛散防止の壁として作用する。
【００２５】
前記挿入部４は、径の異なる２種類の円筒を同心円状に配置して構成され、２種類の円筒は所定の間隔を有しており、それぞれ前記漏斗部３に接続されている。このような２種類の円筒を用いているのは、市販されている哺乳瓶の口の径には大きく分けて２種類の大きさがあり、異なる種類の哺乳瓶に使用することができるようにするためである。
【００２６】
哺乳瓶用漏斗１の使用方法について説明する。前記哺乳瓶用漏斗１は、漏斗部３から粉ミルク投入容器２が取り外すことができるので、粉ミルク投入容器２を取り外して洗浄した時には、図２に示すように分解された状態となっている。
【００２７】
図２の状態から、前記粉ミルク投入容器２の２個の軸７を、漏斗部３の２個の切り欠き１１に挿入すると、哺乳瓶用漏斗１の組み立てが完了し、図１の状態となる。このように、粉ミルク投入容器２の粉ミルク収容部５が上を向いた状態で、哺乳瓶用漏斗１の挿入部４を哺乳瓶の口に挿入する。
【００２８】
この時、２種類の円筒のどちらかを使用するが、本実施形態では、径が小さい方の円筒を哺乳瓶１３の口に挿入する。この場合、図４に示すように哺乳瓶１３の口は挿入部４の２つの円筒の間に位置することとなる。このようにして、哺乳瓶１３に哺乳瓶用漏斗１をセットしたら、前記粉ミルク収容部５に粉ミルクに付属している計量スプーン等を用いて粉ミルク１４を所定量入れる。
【００２９】
前記粉ミルク収容部５の容量は約７８ｃｃであり、一般的な哺乳瓶でミルクを作る際には、粉ミルクが約１００ｃｃ（スプーン１２杯分）必要なので、前記粉ミルク収容部５には、一度に約５０ｃｃ（スプーン６杯分）の粉ミルク１４を入れる。
【００３０】
この時、すでに哺乳瓶１３にはお湯が入れてあるが、前記粉ミルク投入容器２は前記粉ミルク収容部５が上を向いた状態であり、前記粉ミルク投入容器２が前記漏斗部３および前記挿入部４の開口を覆っており、前記粉ミルク投入容器２と前記漏斗部３の隙間から湯気が出てきたとしても、前記粉ミルク収容部５の内側表面には湯気が直接吹き付けることが無いので、前記粉ミルク収容部５の内側表面に水滴が付着することが防止できる。水滴が無ければ、粉ミルク１４が粉ミルク収容部５に付着しない。
【００３１】
所定量の粉ミルク１４を前記粉ミルク収容部５に入れたら、前記取っ手６を持って前記粉ミルク投入容器２を前記軸７を中心に回転させる。回転途中の状態が図５の状態である。図５の状態では、徐々に前記粉ミルク収容部５に入れた粉ミルク１４は、前記漏斗部３へと落下し、挿入部４の開口を通って哺乳瓶１３内へと投入される。
【００３２】
そして、さらに前記粉ミルク投入容器２を回転させて、最後には、図６に示すように、前記取っ手６が前記漏斗部３の円筒部１０の高い方の上部に接触する状態とする。このようにして、前記粉ミルク投入容器２を回転させると、前記粉ミルク収容部５が完全に下を向いた状態となり、前記粉ミルク収容部５に入れておいた粉ミルク１４は粉ミルク投入容器２の内側表面に付着することなく全て前記漏斗部３へ落下し、前記挿入部４の開口を通って哺乳瓶１３へと投入される。
【００３３】
前記粉ミルク１４が全て投入されたら、取っ手６を持って前記粉ミルク投入容器２を反対側に回転させて、図１の状態とし、２回目の粉ミルク投入を行う。このようにして投入する粉ミルク１４の量に応じて上述の動作を繰り返し行うことで、粉ミルク１４の投入が完了する。
【００３４】
このように、本発明の哺乳瓶用漏斗１は粉ミルク投入容器２を漏斗部３に対して回転可能な構造とすることで、簡単な動作で粉ミルクが付着することなく哺乳瓶に投入することができる。粉ミルク投入容器２あるいは漏斗部３等の形状はここで説明したものに限定するものではなく、粉ミルク投入容器２が漏斗部３に対して回転可能であれば様々な形状を用いることができ、また、粉ミルク投入容器２の回転構造についても、ここで説明したもの以外を用いることも可能である。
【符号の説明】
【００３５】
１    哺乳瓶用漏斗
２    粉ミルク投入容器
３    漏斗部
４    挿入部
５    粉ミルク収容部
６    取っ手
７    軸
８    留め具
９    すり鉢部
１０  円筒部
１１  切り欠き
１２  取っ手
１３  哺乳瓶
１４  粉ミルク
【図１】
0005502403.tif 000002
【図２】
0005502403.tif 000003
【図３】
0005502403.tif 000004
【図４】
0005502403.tif 000005
【図５】
0005502403.tif 000006
【図６】
0005502403.tif 000007